【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
無線アクセスシステムにおける移動局での持続リソース割当方法であって、前記方法は、
持続リソース割当解除タイプ情報を含む第１のマップメッセージを基地局から受信することであって、前記持続リソース割当解除タイプ情報は、永久的割当解除または一時的割当解除のうちの一つを示す、ことと、
前記持続リソース割当解除タイプ情報が前記永久的割当解除を示す場合、持続的に割り当てられたリソースを割当解除することと
を含む、方法。
【請求項２】
前記第１のマップメッセージは、持続リソース割当周期情報をさらに含み、前記持続リソース割当周期情報が、割当解除を示す場合、前記持続リソース割当解除タイプ情報は、前記第１のマップメッセージに含まれる、請求項１に記載の方法。
【請求項３】
前記持続リソース割当解除タイプ情報が、前記一時的割当解除を示す場合、前記第１のマップメッセージは、持続リソース割当解除区間情報をさらに含む、請求項１に記載の方法。
【請求項４】
前記持続リソース割当解除区間情報は、前記一時的割当解除の持続期間を示し、前記一時的割当解除の持続期間は、フレーム単位で定義される、請求項３に記載の方法。
【請求項５】
前記持続リソース割当解除区間の後に、データバーストは、前記第１のマップメッセージに含まれた持続リソース領域を通じて、前記基地局に伝送される／前記基地局から受信される、請求項３に記載の方法。
【請求項６】
前記持続リソース割当解除区間に対してリソース割当情報を含む第２のマップメッセージを受信することと、
前記リソース割当情報に含まれたリソース割当領域を通じて、前記基地局にアップリンクデータバーストを伝送することと
をさらに含む、請求項１に記載の方法。
【請求項７】
前記第１のマップメッセージは、持続割当Ａ−ＭＡＰに対応する、請求項１に記載の方法。
【請求項８】
前記第２のマップメッセージは、基本割当Ａ−ＭＡＰ  ＩＥである、請求項６に記載の方法。
【請求項９】
前記一時的割当解除は、一回の割当解除である、請求項１又は３に記載の方法。
【請求項１０】
無線アクセスシステムにおいて持続リソース割当を行う移動局であって、前記移動局は、
ＲＦ信号を送受信するための無線通信部と、
前記無線通信部に接続された制御部と
を含み、
前記制御部は、
持続リソース割当解除タイプ情報を含む第１のマップメッセージを基地局から受信することであって、前記持続リソース割当解除タイプ情報は、永久的割当解除または一時的割当解除のうちの一つを示す、ことと、
前記持続リソース割当解除タイプ情報が前記永久的割当解除を示す場合、持続的に割り当てられたリソースを割当解除することと
を行うように前記無線通信部を制御するように構成されている、移動局。
【請求項１１】
前記第１のマップメッセージは、持続リソース割当周期情報をさらに含み、前記持続リソース割当周期情報が、割当解除を示す場合、前記持続リソース割当解除タイプ情報は、前記第１のマップメッセージに含まれる、請求項１０に記載の移動局。
【請求項１２】
前記持続リソース割当解除タイプ情報が、前記一時的割当解除を示す場合、前記第１のマップメッセージは、持続リソース割当解除区間情報をさらに含む、請求項１０に記載の移動局。
【請求項１３】
前記持続リソース割当解除区間情報は、前記一時的割当解除の持続期間を示し、前記一時的割当解除の持続期間は、フレーム単位で定義される、請求項１２に記載の移動局。
【請求項１４】
前記制御部は、前記持続リソース割当解除区間の後に、前記第１のマップメッセージに含まれた持続リソース領域を通じて、データバーストを前記基地局に伝送する／前記基地局から受信するように前記無線通信部を制御する、請求項１２に記載の移動局。
【請求項１５】
前記制御部は、前記持続リソース割当解除区間に対してリソース割当情報を含む第２のマップメッセージを前記基地局から受信するように前記無線通信部を制御し、前記リソース割当情報に含まれたリソース割当領域を通じて、前記基地局にアップリンクデータバーストを伝送するように前記無線通信部を制御する、請求項１０に記載の移動局。
【請求項１６】
前記第１のマップメッセージは、持続割当Ａ−ＭＡＰに対応する、請求項１０に記載の移動局。
【請求項１７】
前記第２のマップメッセージは、基本割当Ａ−ＭＡＰ  ＩＥである、請求項１５に記載の移動局。
【請求項１８】
前記一時的割当解除は、一回の割当解除である、請求項１０又は１３に記載の移動局。
【手続補正２】
【補正対象書類名】明細書
【補正対象項目名】００４８
【補正方法】変更
【補正の内容】
【００４８】
一例として、一回のリソース解除時に、端末に、固定リソース割当解除が一回のみ発生するという情報を共に知らせる場合、端末へ伝送するマップオーバーヘッドが既存より５０％（２回伝送から１回伝送に）減ることができる効果がある。
本願明細書は、例えば、以下の項目も提供する。
（項目１）
無線接続システムで、固定リソース割当方法において、
固定リソース割当情報を含む第１のマップメッセージを基地局から受信するステップと、
前記固定リソース割当情報に含まれた固定リソース領域を通じて前記基地局とデータバーストを送受信するステップと、
固定リソース割当解除タイプ情報を含む第２のマップメッセージを基地局から受信するステップと、を含み、
前記固定リソース割当解除タイプ情報は、固定的に割り当てられたリソースの割当解除が永久的（ｐｅｒｍａｎｅｎｔ）割当解除であるか、または一時的（ｔｅｍｐｏｒａｌ）割当解除であるかを指示する情報であることを特徴とする、方法。
（項目２）
前記固定リソース割当情報は、固定リソース割当周期情報（Ａｌｌｏｃａｔｉｏｎ  ｐｅｒｉｏｄ）をさらに含み、
前記固定リソース割当周期情報が、固定的に割り当てられたリソースの割当解除を指示する場合、前記固定リソース割当解除タイプ情報が前記第２のマップメッセージに含まれることを特徴とする、項目１に記載の方法。
（項目３）
前記固定割当解除タイプ情報が、固定的に割り当てられたリソースの一時的割当解除を指示する場合、前記第２のマップメッセージは、固定リソース割当解除区間情報（Ｎｕｍ
ｄｅ−ａｌｌｏｃａｔｉｏｎ）をさらに含むことを特徴とする、項目１に記載の方法。
（項目４）
前記固定リソース割当解除区間情報は、前記一時的割当解除が持続する区間の長さを示し、前記区間の長さは、フレーム単位で定義されることを特徴とする、項目３に記載の方法。
（項目５）
前記固定リソース割当解除区間の後に、前記第１のマップメッセージに含まれた固定リソース領域を通じて前記基地局とデータバーストを送受信することを特徴とする、項目３に記載の方法。
（項目６）
前記固定リソース割当解除区間においてリソース割当情報を含む第３のマップメッセージを前記基地局から受信するステップと、
前記リソース割当情報に含まれたリソース割当領域を通じて、前記基地局へアップリンクデータバーストを伝送するステップとをさらに含んでなることを特徴とする、項目１に記載の方法。
（項目７）
前記第１のマップメッセージ及び第２のマップメッセージは、固定割当Ａ−ＭＡＰ（Ｐｅｒｓｉｓｔｅｎｔ  Ａｌｌｏｃａｔｉｏｎ  Ａ−ＭＡＰ）であることを特徴とする、項目１に記載の方法。
（項目８）
前記第３のマップメッセージは、基本割当マップ情報要素（Ｂａｓｉｃ  Ａｓｓｉｇｎｍｅｎｔ  Ａ−ＭＡＰ  ＩＥ）であることを特徴とする、項目６に記載の方法。
（項目９）
前記一時的割当解除は、一回のリソース割当解除（ｏｎｅ  ｔｉｍｅ  ｄｅ−ａｌｌｏｃａｔｉｏｎ）であることを特徴とする、項目１又は５に記載の方法。
（項目１０）
無線接続システムで、固定リソース割当を行う端末において、
外部と無線信号を送受信するための無線通信部と、
前記無線通信部と接続されている制御部と、を含み、
前記制御部は、
固定リソース割当情報を含む第１のマップメッセージを基地局から受信するように前記無線通信部を制御し、前記固定リソース割当情報に含まれた固定リソース領域を通じて、前記基地局とデータバーストを送受信するように前記無線通信部を制御し、固定リソース割当解除タイプ情報を含む第２のマップメッセージを基地局から受信するように前記無線通信部を制御し、
前記固定リソース割当解除タイプ情報は、固定的に割り当てられたリソースの割当解除が、永久的（ｐｅｒｍａｎｅｎｔ）割当解除であるか、または一時的（ｔｅｍｐｏｒａｌ）割当解除であるかを指示する情報であることを特徴とする、端末。
（項目１１）
前記固定リソース割当情報は、固定リソース割当周期情報（Ａｌｌｏｃａｔｉｏｎ  ｐｅｒｉｏｄ）をさらに含み、
前記固定リソース割当周期情報が、固定的に割り当てられたリソースの割当解除を指示する場合、前記固定リソース割当解除タイプ情報が前記第２のマップメッセージに含まれることを特徴とする、項目１０に記載の端末。
（項目１２）
前記固定割当解除タイプ情報が、固定的に割り当てられたリソースの一時的割当解除を指示する場合、前記第２のマップメッセージは、固定リソース割当解除区間情報（Ｎｕｍ
ｄｅ−ａｌｌｏｃａｔｉｏｎ）をさらに含むことを特徴とする、項目１０に記載の端末。
（項目１３）
前記固定リソース割当解除区間情報は、前記一時的割当解除が持続する区間の長さを示し、前記区間の長さは、フレーム単位で定義されることを特徴とする、項目１２に記載の端末。
（項目１４）
前記制御部は、
前記固定リソース割当解除区間の後に、前記第１のマップメッセージに含まれた固定リソース領域を通じて前記基地局とデータバーストを送受信するように前記無線通信部を制御することを特徴とする、項目１２に記載の端末。
（項目１５）
前記制御部は、
前記固定リソース割当解除区間においてリソース割当情報を含む第３のマップメッセージを前記基地局から受信するように前記無線通信部を制御し、前記リソース割当情報に含まれたリソース割当領域を通じて、前記基地局へアップリンクデータバーストを伝送するように前記無線通信部を制御することを特徴とする、項目１０に記載の端末。
（項目１６）
前記第１のマップメッセージ及び第２のマップメッセージは、固定割当Ａ−ＭＡＰ（Ｐｅｒｓｉｓｔｅｎｔ  Ａｌｌｏｃａｔｉｏｎ  Ａ−ＭＡＰ）であることを特徴とする、項目１０に記載の端末。
（項目１７）
前記第３のマップメッセージは、基本割当マップ情報要素（Ｂａｓｉｃ  Ａｓｓｉｇｎｍｅｎｔ  Ａ−ＭＡＰ  ＩＥ）であることを特徴とする、項目１５に記載の端末。
（項目１８）
前記一時的割当解除は、一回のリソース割当解除（ｏｎｅ  ｔｉｍｅ  ｄｅ−ａｌｌｏｃａｔｉｏｎ）であることを特徴とする、項目１０又は１４に記載の端末。